(57)【要約】【課題】見出し語の候補リスト及び解説プレビュー情報を含む見出し語候補リスト画面を効率よく表示させる。【解決手段】見出し語と解説情報とを含む辞書情報を格納する辞書データ格納部２３ｂと、文字を入力する入力部２２と、入力された文字に対応する見出し語を含む辞書情報を辞書データ格納部２３ｂから検索する制御部２１と、検索された辞書情報における見出し語の候補リストとこの候補リストから選択された見出し語候補に対応する解説プレビュー情報とを、画面を縦方向に分割して配置する縦分割スタイルと、画面を横方向に分割して配置する横分割スタイルとのうちいずれかの表示スタイルで表示する表示部１７とを備える。そして、縦分割スタイルで表示部１７に表示される場合の候補リストに含まれる見出し語候補の文字列長と候補リスト領域の幅との比較を行い、その比較結果に基づいて表示スタイルを切替えて表示するようにした。【選択図】図２
2011014101.tif 000002
【特許請求の範囲】
【請求項１】
文字又は文字列に対応する見出し語の候補リストと、この候補リストから選択された見出し語候補に対応する関連情報とを、表示画面を縦方向に分割して配置する第１形式と、表示画面を横方向に分割して配置する第２形式とのうち、選択されたいずれかの形式で表示する表示手段と、
前記第１形式で前記表示手段に表示される場合の候補リストに含まれる見出し語候補の文字列長と前記候補リストの幅長との比較を行い、その比較結果に基づいて前記表示手段の第１又は第２形式を選択する選択手段と、
を備えたことを特徴とする情報表示装置。
【請求項２】
前記選択手段は、前記第１形式で前記表示手段に表示される場合の候補リストに含まれる所定の見出し語候補についての文字列長が前記候補リストの幅長よりも長いとの比較結果である場合に、前記表示手段の第２形式を選択することを特徴とする請求項１記載の情報表示装置。
【請求項３】
文字又は文字列に対応する見出し語の候補リストと、この候補リストから選択された見出し語候補に対応する関連情報とを、表示画面を縦方向に分割して表示する表示手段と、
前記候補リストの幅長を、前記候補リストに含まれる所定の見出し語候補についての文字列長以上の長さとなるように変更する変更手段と、
を備えたことを特徴とする情報表示装置。
【請求項４】
前記変更手段は、前記候補リストに含まれる所定の見出し語候補についての文字列長が前記候補リストの幅長以下の長さとなるように、前記所定の見出し語候補についての文字サイズを変更することを特徴とする請求項３記載の情報表示装置。
【請求項５】
文字又は文字列に対応する見出し語の候補リストと、この候補リストから選択された見出し語候補に対応する関連情報とを、表示画面を縦方向に分割して配置する第１形式で表示する場合の候補リストに含まれる見出し語候補の文字列長と、前記候補リストの幅長との比較を行う比較ステップと、
この比較ステップにおける比較結果に基づいて、前記第１形式と、前記候補リストと前記関連情報とを表示画面を横方向に分割して配置する第２形式とのうちいずれかの形式を選択する選択ステップと、
前記候補リストと前記関連情報とを、前記選択ステップにおいて選択された形式で表示する表示ステップと、
を有したことを特徴とする情報表示方法。
【請求項６】
前記選択ステップは、前記比較ステップにおける比較結果が、前記第１形式で表示する場合の候補リストに含まれる所定の見出し語候補についての文字列長が前記候補リストの幅長よりも長いとの結果である場合に、前記第２形式を選択することを特徴とする請求項５記載の情報表示方法。
【請求項７】
文字又は文字列に対応する見出し語の候補リストの幅長を、前記候補リストに含まれる所定の見出し語候補についての文字列長以上の長さとなるように変更する変更ステップと、
幅長の変更された候補リストと、この候補リストから選択された見出し語候補に対応する関連情報とを、表示画面を縦方向に分割して表示する表示ステップと、
を有したことを特徴とする情報表示方法。
【請求項８】
前記変更ステップは、前記候補リストに含まれる所定の見出し語候補についての文字列長が前記候補リストの幅長以下の長さとなるように、前記所定の見出し語候補についての文字サイズを変更することを特徴とする請求項７記載の情報表示方法。
【請求項９】
文字又は文字列に対応する見出し語の候補リストと、この候補リストから選択された見出し語候補に対応する関連情報とを表示装置に表示させるコンピュータに、
前記候補リストと前記関連情報とを表示画面を縦方向に分割して配置する第１形式で前記表示装置に表示させる場合の候補リストに含まれる見出し語候補の文字列長と、前記候補リストの幅長との比較を行う比較ステップと、
この比較ステップにおける比較結果に基づいて、前記第１形式と、前記候補リストと前記関連情報とを表示画面を横方向に分割して配置する第２形式とのうちいずれかの形式を選択する選択ステップと、
前記候補リストと前記関連情報とを、前記選択ステップにおいて選択された形式で前記表示装置に表示させる表示ステップと、
を実行させるための情報表示プログラム。
【請求項１０】
文字又は文字列に対応する見出し語の候補リストと、この候補リストから選択された見出し語候補に対応する関連情報とを表示装置に表示させるコンピュータに、
前記見出し語の候補リストの幅長を、前記候補リストに含まれる所定の見出し語候補についての文字列長以上の長さとなるように変更する変更ステップと、
幅長の変更された候補リストと、この候補リストから選択された見出し語候補に対応する関連情報とを、表示画面を縦方向に分割して表示する形式で前記表示装置に表示させる表示ステップと、
を実行させるための情報表示プログラム。
【請求項１１】
見出し語とこの見出し語の解説情報とを含む辞書情報を記憶する記憶手段と、
検索キーワードを入力する入力手段と、
前記入力された検索キーワードに対応する見出し語を含む辞書情報を前記記憶手段から検索する検索手段と、
前記検索された辞書情報における見出し語の候補リストと、この候補リストから選択された見出し語候補に対応する解説情報とを、表示画面を縦方向に分割して配置する第１形式と、表示画面を横方向に分割して配置する第２形式とのうち選択されたいずれかの形式で表示する表示手段と、
前記第１形式で前記表示手段に表示される場合の候補リストに含まれる見出し語候補の文字列長と前記候補リストの幅長との比較を行い、その比較結果に基づいて前記表示手段の第１又は第２形式を選択する選択手段と、
を備えたことを特徴とする電子辞書。
【請求項１２】
見出し語とこの見出し語の解説情報とを含む辞書情報を記憶する記憶手段と、
検索キーワードを入力する入力手段と、
前記入力された検索キーワードに対応する見出し語を含む辞書情報を前記記憶手段から検索する検索手段と、
前記検索された辞書情報における見出し語の候補リストと、この候補リストから選択された見出し語候補に対応する解説情報とを、表示画面を縦方向に分割して表示する表示手段と、
前記候補リストの幅長を、前記候補リストに含まれる所定の見出し語候補についての文字列長以上の長さとなるように変更する変更手段と、
を備えたことを特徴とする電子辞書。
【発明の詳細な説明】
【技術分野】
【０００１】
本発明は、見出し語の候補リストと、この候補リストから選択した見出し語候補に対応する関連情報とを表示させる情報表示技術に関する。
【背景技術】
【０００２】
見出し語とその見出し語の解説情報とが対応付けられた辞書情報を扱う情報処理技術が普及している。例えば、電子辞書において、検索キーワードである文字を入力させて、その文字又は文字列に基づき見出し語を検索し、検索された見出し語の候補リストと、選択された見出し語候補に対応する解説情報のプレビュー情報とを表示する見出し語検索プレビュー技術が知られている（例えば、特許文献１参照）。
【０００３】
また、上記の見出し語検索プレビュー技術における見出し語候補リスト画面の表示スタイルとして、候補リスト及びプレビュー情報の各表示領域を、画面を縦方向に分割して表示するスタイル（縦分割スタイル）と、画面を横方向に分割して表示するスタイル（横分割スタイル）とが知られている。さらに、両方の表示スタイルによる見出し語候補リスト画面を、キー操作によって切替えて表示させることのできる電子辞書も知られている。
【先行技術文献】
【特許文献】
【０００４】
【特許文献１】特開２００１−１３４５６８号公報
【発明の概要】
【発明が解決しようとする課題】
【０００５】
上記の表示スタイルにおいて、縦分割スタイルは、横分割スタイルに比べて候補リストに表示される見出し語候補の個数を多くすることができる。一方で、見出し語候補の表示可能な文字列長は横分割スタイルに比べて短い。また、各表示スタイルにおける、見出し語候補リスト画面内の候補リストとプレビュー情報との２つの表示領域の面積比は固定である。また、表示文字の文字サイズを変更することのできる装置においても、見出し語候補リスト画面に表示される文字の文字サイズは、キー操作によらなければ変更できない。
【０００６】
このような表示スタイルのうちの縦分割スタイルにしたがって見出し語候補リスト画面を表示させた場合、候補リストの中に文字列長の長い見出し語候補があると、その見出し語候補の表示が候補リストの表示領域の端で途切れてしまうことがある。このような場合、装置の使用者に、見出し語候補の選択をし難くさせる等の不便を強いることとなる。また逆に、候補リストの中に文字列長の短い見出し語候補しかない場合、候補リストの表示領域に多くの余白が残ってしまい、使用者に領域区分の非効率さを感じさせることとなる。
【０００７】
このような場合、前述したように、表示スタイルを縦分割スタイルから横分割スタイルにキー操作によって切替えれば、上記のような問題を軽減することが期待できる。しかしながら、表示スタイルを切替えるか否かの判断は、常に見出し語候補リスト画面の表示状態を見た使用者の判断によるものであるため煩わしさがある。特に、幾つもの検索キーワードを入力して繰返し辞書を検索するような場合においては、使用者の操作性は極めて悪いものとなる。
【０００８】
このように、従来の見出し語検索プレビュー技術では、候補リスト及びプレビュー情報を含む見出し語候補リスト画面を効率よく表示することができなかった。
【０００９】
そこで、本発明は上記問題に鑑みてなされたものであり、見出し語の候補リストと選択された見出し語候補の関連情報とを効率よく画面に表示させることのできる情報表示装置、情報表示方法、情報表示プログラム、及び電子辞書を提供することを目的とする。
【課題を解決するための手段】
【００１０】
本発明は、上記の課題を解決するために、以下［１］−［１２］の手段を提供するものである。
［１］  文字又は文字列に対応する見出し語の候補リストと、この候補リストから選択された見出し語候補に対応する関連情報とを、表示画面を縦方向に分割して配置する第１形式と、表示画面を横方向に分割して配置する第２形式とのうち、選択されたいずれかの形式で表示する表示手段と、
前記第１形式で前記表示手段に表示される場合の候補リストに含まれる見出し語候補の文字列長と前記候補リストの幅長との比較を行い、その比較結果に基づいて前記表示手段の第１又は第２形式を選択する選択手段と、
を備えたことを特徴とする情報表示装置。
［２］  前記選択手段は、前記第１形式で前記表示手段に表示される場合の候補リストに含まれる所定の見出し語候補についての文字列長が前記候補リストの幅長よりも長いとの比較結果である場合に、前記表示手段の第２形式を選択することを特徴とする上記［１］記載の情報表示装置。
［３］  文字又は文字列に対応する見出し語の候補リストと、この候補リストから選択された見出し語候補に対応する関連情報とを、表示画面を縦方向に分割して表示する表示手段と、
前記候補リストの幅長を、前記候補リストに含まれる所定の見出し語候補についての文字列長以上の長さとなるように変更する変更手段と、
を備えたことを特徴とする情報表示装置。
［４］  前記変更手段は、前記候補リストに含まれる所定の見出し語候補についての文字列長が前記候補リストの幅長以下の長さとなるように、前記所定の見出し語候補についての文字サイズを変更することを特徴とする上記［３］記載の情報表示装置。
［５］  文字又は文字列に対応する見出し語の候補リストと、この候補リストから選択された見出し語候補に対応する関連情報とを、表示画面を縦方向に分割して配置する第１形式で表示する場合の候補リストに含まれる見出し語候補の文字列長と、前記候補リストの幅長との比較を行う比較ステップと、
この比較ステップにおける比較結果に基づいて、前記第１形式と、前記候補リストと前記関連情報とを表示画面を横方向に分割して配置する第２形式とのうちいずれかの形式を選択する選択ステップと、
前記候補リストと前記関連情報とを、前記選択ステップにおいて選択された形式で表示する表示ステップと、
を有したことを特徴とする情報表示方法。
［６］  前記選択ステップは、前記比較ステップにおける比較結果が、前記第１形式で表示する場合の候補リストに含まれる所定の見出し語候補についての文字列長が前記候補リストの幅長よりも長いとの結果である場合に、前記第２形式を選択することを特徴とする上記［５］記載の情報表示方法。
［７］  文字又は文字列に対応する見出し語の候補リストの幅長を、前記候補リストに含まれる所定の見出し語候補についての文字列長以上の長さとなるように変更する変更ステップと、
幅長の変更された候補リストと、この候補リストから選択された見出し語候補に対応する関連情報とを、表示画面を縦方向に分割して表示する表示ステップと、
を有したことを特徴とする情報表示方法。
［８］  前記変更ステップは、前記候補リストに含まれる所定の見出し語候補についての文字列長が前記候補リストの幅長以下の長さとなるように、前記所定の見出し語候補についての文字サイズを変更することを特徴とする上記［７］記載の情報表示方法。
［９］  文字又は文字列に対応する見出し語の候補リストと、この候補リストから選択された見出し語候補に対応する関連情報とを表示装置に表示させるコンピュータに、
前記候補リストと前記関連情報とを表示画面を縦方向に分割して配置する第１形式で前記表示装置に表示させる場合の候補リストに含まれる見出し語候補の文字列長と、前記候補リストの幅長との比較を行う比較ステップと、
この比較ステップにおける比較結果に基づいて、前記第１形式と、前記候補リストと前記関連情報とを表示画面を横方向に分割して配置する第２形式とのうちいずれかの形式を選択する選択ステップと、
前記候補リストと前記関連情報とを、前記選択ステップにおいて選択された形式で前記表示装置に表示させる表示ステップと、
を実行させるための情報表示プログラム。
［１０］  文字又は文字列に対応する見出し語の候補リストと、この候補リストから選択された見出し語候補に対応する関連情報とを表示装置に表示させるコンピュータに、
前記見出し語の候補リストの幅長を、前記候補リストに含まれる所定の見出し語候補についての文字列長以上の長さとなるように変更する変更ステップと、
幅長の変更された候補リストと、この候補リストから選択された見出し語候補に対応する関連情報とを、表示画面を縦方向に分割して表示する形式で前記表示装置に表示させる表示ステップと、
を実行させるための情報表示プログラム。
［１１］  見出し語とこの見出し語の解説情報とを含む辞書情報を記憶する記憶手段と、
検索キーワードを入力する入力手段と、
前記入力された検索キーワードに対応する見出し語を含む辞書情報を前記記憶手段から検索する検索手段と、
前記検索された辞書情報における見出し語の候補リストと、この候補リストから選択された見出し語候補に対応する解説情報とを、表示画面を縦方向に分割して配置する第１形式と、表示画面を横方向に分割して配置する第２形式とのうち選択されたいずれかの形式で表示する表示手段と、
前記第１形式で前記表示手段に表示される場合の候補リストに含まれる見出し語候補の文字列長と前記候補リストの幅長との比較を行い、その比較結果に基づいて前記表示手段の第１又は第２形式を選択する選択手段と、
を備えたことを特徴とする電子辞書。
［１２］  見出し語とこの見出し語の解説情報とを含む辞書情報を記憶する記憶手段と、
検索キーワードを入力する入力手段と、
前記入力された検索キーワードに対応する見出し語を含む辞書情報を前記記憶手段から検索する検索手段と、
前記検索された辞書情報における見出し語の候補リストと、この候補リストから選択された見出し語候補に対応する解説情報とを、表示画面を縦方向に分割して表示する表示手段と、
前記候補リストの幅長を、前記候補リストに含まれる所定の見出し語候補についての文字列長以上の長さとなるように変更する変更手段と、
を備えたことを特徴とする電子辞書。
【発明の効果】
【００１１】
本発明によれば、見出し語の候補リストと選択された見出し語候補の関連情報とを効率よく画面に表示させることができる。
【図面の簡単な説明】
【００１２】
【図１】本発明の第一実施形態である情報表示装置を適用した電子辞書の外観図である。
【図２】本発明の第一実施形態を適用した電子辞書の概略のブロック構成図である。
【図３】国語辞典の辞書情報について見出し語検索を行ったときに表示される見出し語候補リスト画面の表示例である。
【図４】第一実施形態における電子辞書の見出し語検索及びプレビュー表示の動作を説明するためのフローチャートである。
【図５】第二実施形態における電子辞書の見出し語検索及びプレビュー表示の動作を説明するためのフローチャートである。
【図６】第二実施形態における電子辞書の処理によって表示される見出し語候補リスト画面の例、及び従来の見出し語候補リスト画面の例である。
【図７】第三実施形態における電子辞書の見出し語検索及びプレビュー表示の動作を説明するためのフローチャートである。
【図８】第三実施形態における電子辞書の処理によって表示される見出し語候補リスト画面の例（第一の方法による例）である。
【図９】第三実施形態における電子辞書の処理によって表示される見出し語候補リスト画面の例（第二の方法による例）である。
【図１０】第三実施形態における電子辞書の処理によって表示される見出し語候補リスト画面の例（第三の方法による例）である。
【発明を実施するための形態】
【００１３】
以下、本発明を実施するための形態について、図面を参照して詳細に説明する。
【００１４】
［第一実施形態］
図１に、本発明の第一実施形態である情報表示装置を適用した電子辞書の外観図を示す。同図において、電子辞書１は、操作系の構成として、電源キー１１と、複数配列された文字キー１２と、決定キー１３と、４つのカーソルキー１４と、次見出しキー１５ａと、前見出しキー１５ｂと、表示スタイル切替キー１６とを備えている。これらの操作系は、一般的なキーボートで構成することができる。また、電子辞書１は、表示系の構成として表示部１７を備えている。
【００１５】
電源キー１１は、電子辞書１の電源の入切を行うためのキーである。文字キー１２は、英数字の文字を入力するためのキーである。決定キー１３は、選択されている見出し語候補を決定するためのキーである。カーソルキー１４は、文字入力の際に表示部１７の画面に表示される入力カーソルと、選択された項目を示すため（例えば、選択された見出し語候補を示すため）に表示される選択カーソルとを移動させるためのキーである。カーソルキー１４は上下左右４方向のキーを備えている。
【００１６】
次見出しキー１５ａは、見出し語の候補リストが表示部１７の画面に表示された状態において、一画面分（１ページ分）のページ送りをさせるためのキーである。前見出しキー１５ｂは、見出し語の候補リストが表示された状態において、一画面分のページ戻しをさせるためのキーである。なお、次見出しキー１５ａ及び前見出しキー１５ｂを見出し送りキー１５と総称する。表示スタイル切替キー１６は、候補リストと、選択された見出し語候補に対応する解説プレビュー情報との両方を表示する見出し語候補リスト画面の表示スタイルを切替えるためのキーである。
【００１７】
表示部１７は、例えば液晶表示ディスプレイや有機ＥＬ（Ｅｌｅｃｔｒｏ−Ｌｕｍｉｎｅｓｃｅｎｃｅ）ディスプレイ等を用いた表示装置で構成される。
【００１８】
図２に、本発明の第一実施形態を適用した電子辞書の概略のブロック構成図を示す。同図において、図１に示した外観図における構成と同一の構成については同一の符号を付してその説明を省略する。図２において、電子辞書１は、表示部１７と、制御部２１と、入力部２２と、ＲＯＭ（Ｒｅａｄ  Ｏｎｌｙ  Ｍｅｍｏｒｙ）２３と、ＲＡＭ（Ｒａｎｄｏｍ  Ａｃｃｅｓｓ  Ｍｅｍｏｒｙ）２４とを備えている。ＲＯＭ２３は、少なくともプログラム格納部２３ａと辞書データ格納部２３ｂとに区分されている。
【００１９】
制御部２１は、例えばＣＰＵ（Ｃｅｎｔｒａｌ  Ｐｒｏｃｅｓｓｉｎｇ  Ｕｎｉｔ）を含んで構成されている。制御部２１は、プログラム格納部２３ａに格納された電子辞書制御プログラムをＲＡＭ２４に読み出して実行することにより電子辞書１全体を制御する。第一実施形態では、電子辞書制御プログラムの中から情報表示プログラムを読み出して実行することによって、見出し語の候補リストと、選択された見出し語候補の解説プレビュー情報とを効率よく表示部１７に表示させることについて詳細に述べる。
【００２０】
入力部２２は、操作系の構成である各種キーを備えた操作入力部である。辞書データ格納部２３ｂは、国語辞典、英和辞典、和英辞典等の各種辞典の辞書情報を、辞典ごとにまとめた辞書情報データベースである。第一実施形態においては、この辞書情報データベースの中から国語辞典の辞書情報を例として説明する。辞書データ格納部２３ｂに格納される国語辞典の辞書情報は、見出し語とそれに対応する解説情報とが関連付けられてデータベース化されている。ＲＡＭ２４は、電子辞書制御プログラムの展開用ワークエリアと、辞書データ格納部２３ｂから読み出された辞書情報を一時記憶させたり、表示スタイルや表示される文字の大きさを決めるドット数等の各種設定情報を一時記憶させたりするための作業用ワークエリアとに用いられる。
【００２１】
図３に、国語辞典の辞書情報について見出し語検索を行ったときに表示部１７に表示される見出し語候補リスト画面の表示例を表示スタイルごとに示す。同図（ａ）は画面を縦方向に分割した縦分割スタイル（第１形式）で表示した例であり、同図（ｂ）は画面を横方向に分割した横分割スタイル（第２形式）で表示した例である。同図（ａ）において、縦分割スタイルである見出し語候補リスト画面３ａは、入力フィールド３１と、候補リスト領域３２と、プレビュー領域３４とを含んで構成されている。
【００２２】
入力フィールド３１は、使用者によって入力部２２の文字キー１２が押下されることにより、検索すべき文字又は文字列を入力するための入力インターフェイスである。同図（ａ）の例は、入力部２２の「Ｋ」，「Ｏ」，「Ｋ」，「Ｕ」，「Ｓ」，「Ａ」，「Ｉ」に対応する文字キー１２が順次押下されたことにより、制御部２１が各文字キー１２のキーコードを順次読取ってローマ字から平仮名への変換を行ったものである。そして、制御部２１が、変換された平仮名の文字列である「こくさい」を入力フィールド３１にエコーバックさせた様子を示している。
【００２３】
候補リスト領域３２は、入力フィールド３１に入力された文字又は文字列に対応する見出し語候補が辞書データ格納部２３ｂから検索され、候補リストにまとめられて表示される領域である。図３（ａ）の例は、入力フィールド３１に入力された文字列「こくさい」に対応する１５個の見出し語候補が、候補リスト領域３２の上方の先頭から下方に向かってリスト表示された様子を示している。同図（ａ）の画面においては、候補リスト領域３２における候補リストの先頭の見出し語である先頭見出し語３３に選択カーソル３５が位置づけられた状態を表している。よって、この画面においては、先頭見出し語３３である「こく−さい［告祭］」が現在選択された状態であることを示している。
【００２４】
なお、図３（ａ）の例において見出し語候補が１６個以上ある場合は、入力部２２のカーソルキー１４のうち上下方向のキーを操作することによって候補リスト領域３２中の候補リストを１行単位でスクロールさせたり、入力部２２の見出し送りキー１５を操作することによって候補リストを１画面単位でページ送りしたりすることができる。
【００２５】
見出し語候補によっては、その文字列長が候補リスト領域３２の横幅を超えてしまい、見出し語の文章が候補リスト領域３２に収まらない場合がある。そのような場合には、図３（ａ）の見出し語候補リスト画面３ａのように矢印マークＡが表示されて、文章が途切れていることを使用者に知らせるようになっている。
【００２６】
プレビュー領域３４は、選択カーソル３５によって選択された見出し語候補に対応する解説情報が辞書データ格納部２３ｂから読み出され、その解説情報の少なくとも一部分の情報である解説プレビュー情報が表示される領域である。この解説プレビュー情報は、解説情報のうちプレビュー領域３４に表示できるだけの情報量である。よって、プレビュー領域３４は、解説情報のプレビュー画面としての役割を有している。
【００２７】
次に、図３（ｂ）において、横分割スタイルである見出し語候補リスト画面３ｂは、入力フィールド３１と、候補リスト領域３６と、プレビュー領域３８とを含んでいる。そして、候補リスト領域３６における候補リストの先頭の見出し語である先頭見出し語３７には、選択カーソル３９が位置づけられている。
【００２８】
図３（ｂ）の見出し語候補リスト画面３ｂと同図（ａ）の見出し語候補リスト画面３ａとの間では、候補リスト領域３６及びプレビュー領域３８の画面構成と、候補リスト領域３２及びプレビュー領域３４の画面構成とが異なっている。横分割スタイルである候補リスト領域３６の横幅は、縦分割スタイルである候補リスト領域３２の横幅よりも長いため、横分割スタイルの方が、見出し語候補の文字列長が長くても表示が途切れてしまうおそれが少ない。
【００２９】
次に、第一実施形態における電子辞書の見出し語検索及びプレビュー表示の動作について、図４のフローチャートを併せ参照して説明する。電子辞書１の制御部２１がプログラム格納部２３ａに格納された電子辞書制御プログラム（情報表示プログラムを含む。）をＲＡＭ２４の展開用ワークエリアに読み出して実行を開始すると同図に示したフローチャートの処理が実行される。表示部１７の画面に入力フィールドが表示されると（Ｓ４０１）、入力部２２の各種キーの入力待ちとなる（Ｓ４０２）。
【００３０】
入力部２２の決定キー１３が押下されると（Ｓ４０２  決定キー）、このフローチャートの処理を終了する。一方、入力部２２の文字キー１２が押下されると（Ｓ４０２  文字キー）、制御部２１は文字キー１２のキーコードを読み取ってローマ字から平仮名に変換し、その文字を入力フィールドにエコーバックする（Ｓ４０３）。
【００３１】
次に、制御部２１は、入力フィールドに入力された文字又は文字列を検索キーとして、辞書データ格納部２３ｂに格納された国語辞典の辞書情報データベースから検索キーに合致する見出し語を検索し（Ｓ４０４）、ＲＡＭ２４の作業用ワークエリアに読み出して見出し語候補の候補リストを作成する（Ｓ４０５）。
【００３２】
次に、制御部２１は、縦分割スタイルにおける候補リスト領域に含めることのできる個数の見出し語候補を候補リストの先頭から抽出する。そして、制御部２１は、これら抽出した見出し語候補それぞれの文字列長と候補リスト領域の横幅とを比較し、見出し語候補のうちいずれか一つでもその文字列長が候補リスト領域の横幅を超える場合は、制御部２１は表示スタイルを横分割スタイルに決定し、それ以外は縦分割スタイルに決定する（Ｓ４０６）。
【００３３】
次に、制御部２１は、表示スタイルを縦分割スタイルに決定した場合は（Ｓ４０７  縦分割）、見出し語候補リスト画面を縦分割スタイルに設定する（Ｓ４０８）一方、制御部２１は、表示スタイルを横分割スタイルに決定した場合は（Ｓ４０７  横分割）、見出し語候補リスト画面を横分割スタイルに設定する（Ｓ４０９）。
【００３４】
そして、制御部２１は、設定された表示スタイルでの候補リスト領域にステップＳ４０６の処理で抽出した見出し語候補を先頭からリスト表示し、その先頭見出し語に選択カーソルを位置づけて表示させる。さらに、その選択カーソルの位置づけられた先頭見出し語に対応する解説情報を辞書データ格納部２３ｂから読み出し、プレビュー領域に収まるだけの情報量の解説プレビュー情報を抽出する。そして、その解説プレビュー情報をプレビュー領域に表示させる（Ｓ４１０）。その後、ステップＳ４０２の処理に移行して入力待ちの状態となる。
【００３５】
電子辞書１は、最初の見出し語候補リスト画面を表示させた後に候補リストのスクロールやページ送りの動作をした場合においても、上述した表示スタイルの決定処理を適用することができる。すなわち、入力部２２のカーソルキー１４を用いて候補リストを一行ずつスクロールさせたり、見出し送りキー１５を用いて候補リストをページ送りさせたりした場合においても、制御部２１は、図４に示したフローチャートのステップＳ４０６−Ｓ４１０と同様の処理を実行することができる。これにより、カーソルキー１４や見出し送りキー１５を押下するごとに表示される見出し語候補リスト画面を、候補リストに応じた表示スタイルによって表示させることができる。
【００３６】
表示部１７に見出し語候補リスト画面が表示され、選択カーソルによって選択された見出し語候補に対応した解説プレビュー情報が表示された状態において入力部２２の決定キー１３が押下されると、決定された見出し語に対応する解説情報が全画面表示される。
【００３７】
以上の処理により、第一実施形態における電子辞書は、見出し語候補リスト画面を縦分割スタイルで表示すると文章が途切れてしまう見出し語候補が一つでもあることを検出した場合に、表示スタイルを横分割スタイルに変更して表示するようにした。これにより、電子辞書は、見出し語候補の文字列長に応じて最適な表示スタイルを選択することができ、効率的な見出し語候補リスト画面を表示することができる。
【００３８】
なお、図４に示したフローチャートのステップＳ４０６の処理においては、制御部２１は、縦分割スタイルにおける候補リスト領域に含めることのできる個数の見出し語候補を候補リストの先頭から抽出し、この抽出した見出し語候補のうちいずれか一つでもその文字列長が候補リスト領域の横幅を超える場合にのみ、表示スタイルを横分割スタイルに決定するようにした。しかし、このように処理した場合、候補リストを連続的にスクロールしたりページ送りしたりしたときに表示スタイルの切替わりが頻繁に発生すると、これによってかえって見づらくなるおそれがある。
【００３９】
これを防ぎ、又軽減するために、抽出した一画面分の見出し語候補のうち文字列長が候補リスト領域の横幅を超えるものが所定の割合に相当する個数分検出された場合に、表示スタイルを横分割スタイルに決定するようにしてもよい。例えば、所定の割合を３割としたときに、図３（ａ）に示す縦分割スタイルの見出し語候補リスト画面３ａの場合では、候補リスト領域３２に表示される見出し語候補の最大数は１５個であるため、４個（小数点以下切捨ての場合）又は５個（小数点以下四捨五入の場合）の見出し語候補の文字列長が候補リスト領域３２の横幅を超える場合に、同図（ｂ）の見出し語候補リスト画面３ｂのように表示スタイルを横分割スタイルに変更する。
【００４０】
また、ステップＳ４０６の処理において、制御部２１は、抽出した見出し語候補の先頭の見出し語候補に着目し、それの文字列長が候補リスト領域の横幅を超えることを検出した場合に表示スタイルを横分割スタイルに決定するようにしてもよい。このようにすることにより、制御部２１は、抽出した見出し語候補全てについての文字列長を計算する必要がないため、計算処理の負担を軽くすることができ、キー操作と表示切替えとの追従性が向上する。よって、候補リストと解説プレビュー情報との効率のよい表示を、キー操作と表示切替えとの追従性を高く保ちながら行うことができる。
【００４１】
［第二実施形態］
本発明の第二実施形態である情報表示装置を適用した電子辞書の外観及びブロック構成は、上述した第一実施形態のものと同一であるため、これらの構成についての説明を省略する。
【００４２】
次に、第二実施形態における電子辞書の見出し語検索及びプレビュー表示の動作について、図５のフローチャートを併せ参照して説明する。電子辞書１の制御部２１がプログラム格納部２３ａに格納された電子辞書制御プログラム（情報表示プログラムを含む。）をＲＡＭ２４の展開用ワークエリアに読み出して実行を開始すると同図に示したフローチャートの処理が実行される。ステップＳ５０１−Ｓ５０５の処理は、図４に示した第一実施形態における処理のステップＳ４０１−Ｓ４０５の処理と同一であるため、その具体的な説明を省略する。
【００４３】
ステップＳ５０５の処理の次に、制御部２１は、縦分割スタイルにおける候補リスト領域に含めることのできる個数の見出し語候補を候補リストの先頭から抽出する。そして、制御部２１は、これら抽出した見出し語候補の中から文字列長の最も長い見出し語候補を選択し、この見出し語候補の文字列長が候補リスト領域の横幅を超えないように候補リスト領域の幅とプレビュー領域の幅とを調整する。そして、制御部２１は、表示スタイルを調整後の画面構成による縦分割スタイルに決定する（Ｓ５０６）。
【００４４】
これにおいて、候補リスト領域の幅を大きくしすぎると、プレビュー領域の幅が小さくなりすぎてそこに表示される解説プレビュー情報が見にくくなる。そこで、候補リスト領域の可変の幅値に最大幅値を設けておき、制御部２１が、最も長い見出し候補の文字列長が最大幅値よりも長い場合には、表示スタイルを横分割スタイルに決定するように制御する。
【００４５】
ステップＳ５０７−Ｓ５１０の処理は、図４に示した第一実施形態における処理のステップＳ４０７−Ｓ４１０の処理と同一であるため、その具体的な説明を省略する。
【００４６】
図６に、第二実施形態における電子辞書の処理によって表示部１７に表示される見出し語候補リスト画面の例と、従来の見出し語候補リスト画面の例とを示す。同図（ａ）は、第二実施形態の電子辞書における表示例である。この図の見出し語候補リスト画面６ａは、候補リスト領域６１に表示される１５個の見出し語候補全ての文章が途切れないように候補リスト領域６１の幅と、プレビュー領域６２の幅とが調整されて表示された様子を示している。一方、同図（ｂ）は、従来の電子辞書における表示例である。この図の見出し語候補リスト画面６ｂは、候補リスト領域６３に表示される１５個の見出し語候補のうち３つの見出し語候補の文章が途切れており、これによって候補リストが見にくくなっている様子を示している。
【００４７】
電子辞書１は、最初の見出し語候補リスト画面を表示させた後に候補リストのスクロールやページ送りの動作をした場合においても、上述した画面構成の決定処理及び表示スタイルの決定処理を適用することができる。すなわち、入力部２２のカーソルキー１４を用いて候補リストを一行ずつスクロールさせたり、見出し送りキー１５を用いて候補リストをページ送りさせたりした場合においても、制御部２１は、図５に示したフローチャートのステップＳ５０６−Ｓ５１０と同様の処理を実行することができる。これにより、カーソルキー１４や見出し送りキー１５を押下するごとに表示される見出し語候補リスト画面を、候補リストに応じた画面構成及び表示スタイルによって表示させることができる。
【００４８】
以上の処理により、第二実施形態における電子辞書は、縦分割スタイルの見出し語候補リスト画面において表示される候補リストにおける全ての見出し語候補の文章が途切れないように、候補リスト領域とプレビュー領域との幅を調整するようにした。さらに、幅の調整の限度を超えるような場合には、表示スタイルを横分割スタイルに変更するようにした。これにより、電子辞書は、縦分割スタイルの表示スタイルを基本として、見出し語候補の文字列長に応じて最適な画面構成をとることができ、効率的で見やすい見出し語候補リスト画面を表示することができる。
【００４９】
なお、図５に示したフローチャートのステップＳ５０６の処理においては、制御部２１は、縦分割スタイルにおける候補リスト領域に含めることのできる個数の見出し語候補を候補リストの先頭から抽出し、この抽出した見出し語候補の中の最も長い見出し語候補の文字列長が候補リスト領域の横幅を超えないように候補リスト領域の幅とプレビュー領域の幅とを調整したが、第一実施形態と同様に、抽出した一画面分の見出し語候補のうち文字列長が候補リスト領域の横幅を超えるものが所定の割合に相当する個数分検出された場合に、候補リスト領域の幅とプレビュー領域の幅とを調整するようにしてもよい。
【００５０】
また、ステップＳ５０６の処理において、制御部２１は、抽出した見出し語候補の先頭の見出し語候補に着目し、それの文字列長が候補リスト領域の横幅を超えることを検出した場合にこの見出し語候補の文字列長が候補リスト領域の横幅を超えないように候補リスト領域の幅とプレビュー領域の幅とを調整するようにしてもよい。このようにすることにより、制御部２１は、抽出した見出し語候補全てについての文字列長を計算する必要がないため、計算処理の負担を軽くすることができ、キー操作と表示切替えとの追従性が向上する。よって、候補リストと解説プレビュー情報との効率のよい表示を、キー操作と表示切替えとの追従性を高く保ちながら行うことができる。
【００５１】
［第三実施形態］
本発明の第三実施形態である情報表示装置を適用した電子辞書の外観及びブロック構成も、前述した第一実施形態のものと同一であるため、これらの構成についての説明を省略する。
【００５２】
次に、第三実施形態における電子辞書の見出し語検索及びプレビュー表示の動作について、図７のフローチャートを併せ参照して説明する。電子辞書１の制御部２１がプログラム格納部２３ａに格納された電子辞書制御プログラム（情報表示プログラムを含む。）をＲＡＭ２４の展開用ワークエリアに読み出して実行を開始すると同図に示したフローチャートの処理が実行される。ステップＳ７０１−Ｓ７０５の処理は、図４に示した第一実施形態における処理のステップＳ４０１−Ｓ４０５の処理と同一であるため、その具体的な説明を省略する。
【００５３】
ステップＳ７０５の処理の次に、制御部２１は、縦分割スタイルにおける候補リスト領域に含めることのできる個数の見出し語候補を候補リストの先頭から抽出する。そして、制御部２１は、これら抽出した見出し語候補の中から文字列長の最も長い見出し語候補を選択し、この見出し語候補の文字列長が候補リスト領域の横幅を超えないように候補リスト領域とプレビュー領域との表示に関する文字サイズを調整する。そして、制御部２１は、表示スタイルを縦分割スタイルに決定する（Ｓ７０６）。
【００５４】
文字サイズの調整方法として、例えば以下の３つの方法がある。第一の方法は、候補リスト領域とプレビュー領域との両方について、同一の文字サイズに変更するという調整方法である。第二の方法は、候補リスト領域のみの文字サイズを調整する方法である。第三の方法は、制御部２１が、抽出した一画面分の見出し語候補それぞれの文字列長と候補リスト領域の横幅とを比較し、文字列長が候補リスト領域の横幅を超える見出し語候補についてのみの文字サイズを調整する方法である。
【００５５】
これにおいて、文字サイズを小さくしすぎると、使用者によっては見えにくくなるおそれがある。そこで、文字サイズの選択肢値に最小サイズ値を設けておき、制御部２１が、文字サイズが最小サイズ値になる場合には、表示スタイルを横分割スタイルに決定するように制御する。
【００５６】
ステップＳ７０７−Ｓ７１０の処理は、図４に示した第一実施形態における処理のステップＳ４０７−Ｓ４１０の処理と同一であるため、その具体的な説明を省略する。
【００５７】
図８−図１０に、第三実施形態における電子辞書の処理によって表示部１７に表示される見出し語候補リスト画面の例を示す。図８は、上記の第一の方法によって文字サイズを調整して表示した例である。同図の見出し語候補リスト画面８は、候補リスト領域８１に表示される１５個の見出し語候補全ての文章が途切れないように、候補リスト領域８１とプレビュー領域８２との表示に関する文字サイズが１６ドットに設定されて表示された様子を示している。
【００５８】
図９は、第二の方法によって文字サイズを調整して表示した例である。同図の見出し語候補リスト画面９は、候補リスト領域９１に表示される１５個の見出し語候補全ての文章が途切れないように、候補リスト領域９１の表示に関する文字サイズが１６ドットに設定され、プレビュー領域９２の表示に関する文字サイズが標準サイズである２４ドットのままで表示された様子を示している。
【００５９】
図１０は、第三の方法によって文字サイズを調整して表示した例である。同図の見出し語候補リスト画面１０は、候補リスト領域１０１に表示される１５個の見出し語候補全ての文章が途切れないように、文字列長が候補リスト領域１０１の横幅を超える見出し語候補１０２，１０３，１０４についてのみの表示に関する文字サイズが１６ドットに設定され、それ以外の見出し語候補とプレビュー領域１０５との表示に関する文字サイズが標準サイズである２４ドットのままで表示された様子を示している。
【００６０】
電子辞書１は、最初の見出し語候補リスト画面を表示させた後に候補リストのスクロールやページ送りの動作をした場合においても、上述した画面構成の決定処理及び表示スタイルの決定処理を適用することができる。すなわち、入力部２２のカーソルキー１４を用いて候補リストを一行ずつスクロールさせたり、見出し送りキー１５を用いて候補リストをページ送りさせたりした場合においても、制御部２１は、図７に示したフローチャートのステップＳ７０６−Ｓ７１０と同様の処理を実行することができる。これにより、カーソルキー１４や見出し送りキー１５を押下するごとに表示される見出し語候補リスト画面を、候補リストに応じた文字サイズ及び表示スタイルによって表示させることができる。
【００６１】
以上の処理により、第三実施形態における電子辞書は、縦分割スタイルの見出し語候補リスト画面において表示される候補リストにおける全ての見出し語候補の文章が途切れないように、候補リスト領域とプレビュー領域との表示に関する文字サイズを調整するようにした。さらに、文字サイズが最小サイズ値になる場合には、表示スタイルを横分割スタイルに変更するようにした。これにより、電子辞書は、縦分割スタイルの表示スタイルを基本として、見出し語候補の文字列長に応じて最適な画面構成をとることができ、効率的で見やすい見出し語候補リスト画面を表示することができる。
【００６２】
なお、図７に示したフローチャートのステップＳ７０６の処理においては、制御部２１は、縦分割スタイルにおける候補リスト領域に含めることのできる個数の見出し語候補を候補リストの先頭から抽出し、この抽出した見出し語候補の中の最も長い見出し語候補の文字列長が候補リスト領域の横幅を超えないように候補リスト領域とプレビュー領域との表示に関する文字サイズを調整したが、第一実施形態と同様に、抽出した一画面分の見出し語候補のうち文字列長が候補リスト領域の横幅を超えるものが所定の割合に相当する個数分検出された場合に、候補リスト領域とプレビュー領域との表示に関する文字サイズを調整するようにしてもよい。
【００６３】
また、ステップＳ７０６の処理において、制御部２１は、抽出した見出し語候補の先頭の見出し語候補に着目し、それの文字列長が候補リスト領域の横幅を超えることを検出した場合に、この見出し語候補の文字列長が候補リスト領域の横幅を超えないように候補リスト領域とプレビュー領域との表示に関する文字サイズを調整するようにしてもよい。このようにすることにより、制御部２１は、抽出した見出し語候補全てについての文字列長を計算する必要がないため、計算処理の負担を軽くすることができ、キー操作と表示切替えとの追従性が向上する。よって、候補リストと解説プレビュー情報との効率のよい表示を、キー操作と表示切替えとの追従性を高く保ちながら行うことができる。
【００６４】
なお、上述した第二実施形態と第三実施形態とを組み合わせた構成とすることもできる。すなわち、候補リスト領域の幅の調整と、候補リスト領域の表示に関する文字サイズの調整とを適宜組み合わせることも好ましい例である。
【００６５】
また、本発明の実施形態は、電子辞書に限ることなく、例えば、携帯電話機、パーソナルコンピュータ等の情報処理機能を備えた電子機器や情報処理装置に適用することができる。
【００６６】
また、上述した実施形態である情報表示装置の一部、例えば、制御部の機能をコンピュータで実現するようにしてもよい。この場合、その制御機能を実現するための情報表示プログラムをコンピュータ読み取り可能な記録媒体に記録して、この記録媒体に記録された情報表示プログラムをコンピュータシステムに読み込ませ、実行することによって実現してもよい。なお、ここでいう「コンピュータシステム」とは、ＯＳ（Ｏｐｅｒａｔｉｎｇ  Ｓｙｓｔｅｍ）や周辺機器のハードウェアを含むものとする。また、「コンピュータ読み取り可能な記録媒体」とは、フレキシブルディスク、光磁気ディスク、光ディスク、メモリカード等の可搬型記録媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持するものを含んでもよい。また上記のプログラムは、前述した機能の一部を実現するためのものであってもよく、さらに前述した機能をコンピュータシステムにすでに記録されているプログラムとの組み合わせにより実現するものであってもよい。
【００６７】
以上、本発明の実施形態について図面を参照して詳述したが、具体的な構成はこの実施形態に限られるものではなく、本発明の要旨を逸脱しない範囲の設計等も含まれる。
【符号の説明】
【００６８】
１  電子辞書
１１  電源キー
１２  文字キー
１３  決定キー
１４  カーソルキー
１５  見出し送りキー
１５ａ  次見出しキー
１５ｂ  前見出しキー
１６  表示スタイル切替キー
１７  表示部
２１  制御部
２２  入力部
２３  ＲＯＭ
２３ａ  プログラム格納部
２３ｂ  辞書データ格納部
２４  ＲＡＭ
【図１】
2011014101.tif 000003
【図２】
2011014101.tif 000004
【図３】
2011014101.tif 000005
【図４】
2011014101.tif 000006
【図５】
2011014101.tif 000007
【図６】
2011014101.tif 000008
【図７】
2011014101.tif 000009
【図８】
2011014101.tif 000010
【図９】
2011014101.tif 000011
【図１０】
2011014101.tif 000012